(57)【要約】【課題】  長めの航空券も折らずに収納可能であるとともに、パスポートやクレジットカード等の携帯品を整然と収納することができ、これらの出し入れが容易に行なえて、しかも、収納物の脱落を防止することができる二つ折り収納ケースを提供する。【解決手段】  中央部に二つ折り自在な中折れ部ＣＬが形成された本体１と、前記本体１の内面側において中折れ部ＣＬの左側に設けられた第１収納部２と、右側に設けられた第２収納部３とから構成されている。第１収納部２は、第１収納ポケット２１と、カード類を収納する複数の収納ポケット２２１〜２２４が並列に配置されたカード収納ポケット群２２とからなる。また、第２収納部３は、第２収納ポケット３１に隣接させて第３収納ポケット３２を配置するとともに、第４収納ポケット３３の表皮の一端部を、第３収納ポケット３２の表皮の中央部上面に融着した構成となっている。【選択図】      図４
0003121548.tif 000002
【実用新案登録請求の範囲】
【請求項１】
中央部に二つ折り自在な中折れ部を有する本体と、
本体の内面側において中折れ部の左右の一方側に設けられた第１収納部および他方側に設けられた第２収納部からなる二つ折り収納ケースであって、
前記第１収納部および第２収納部は、収納ポケットを有し、当該収納ポケットの開口部は前記中折れ部に対向して形成され、
前記第１収納部は、上層収納部と下層収納部との二層構造で形成されており、
前記下層収納部は、航空券を折らずに収納可能な内部空間を有する第１収納ポケットで構成され、
前記上層収納部は、カード類を収納する複数の収納ポケットが並列配置されたカード収納ポケット群から構成され、
前記第２収納部は、パスポートを挿入保持する第２収納ポケットと、第３収納ポケットおよび第４収納ポケットから構成されており、
前記第３収納ポケットは、第２収納ポケットに隣接して配置されているとともに、
前記第３収納ポケットおよび第４収納ポケットは、互いに一部オーバーラップして配置されていることを特徴とする二つ折り収納ケース。
【請求項２】
前記カード収納ポケット群、第３収納ポケットおよび第４収納ポケットは、カード類の長手方向が開口部に対して直交するようにカード類を収納可能に形成されており、
前記第３収納ポケットおよび第４収納ポケットは、それぞれ複数枚のカード類を積層した状態で収納可能な内部空間を有し、
前記カード収納ポケット群は、３乃至４つの収納ポケットから構成されていることを特徴とする請求項１に記載の二つ折り収納ケース。
【請求項３】
前記本体は、縦寸法が略２２５ｍｍ、横寸法が略１９０ｍｍであることを特徴とする請求項１または請求項２に記載の二つ折り収納ケース。
【考案の詳細な説明】
【技術分野】
【０００１】
本考案は、パスポート、航空券およびクレジットカード等の携帯品を整理して収納することができる二つ折り収納ケースに関するものである。
【背景技術】
【０００２】
従来、パスポートの表紙の汚れや損傷を防止するため、二つ折り自在のおもて表紙および裏表紙の各内面側に開口したポケットを備え、そのポケットにパスポートの表紙部分を挿入して保持するようにしたカバーが幅広く用いられている。
【０００３】
一方、海外出張や海外旅行の際に、空港で出入国審査を受ける場合、パスポートの他に航空券や、出入国カード等の書類の提示が必要である。したがって、それらの書類はパスポートとともにひとまとめにしておいた方が出入国審査もスムーズに行なえる。
【０００４】
特に、出入国時には空港内で多くの荷物を持って移動しなければならず、前述の書類を携帯しやすく、所在が判りやすい状態で収納でき、しかも、片手で持ち歩けるようにしておけば便利である。
【０００５】
また、海外出張や海外旅行では、前述の書類の他にクレジットカードや各航空会社のマイレージカード等の各種カード類も持ち歩くのが通常であるので、これらの携帯品を前述の書類とまとめて１つのホルダーや収納ケースに整理した状態で収納しておくようにすれば、よりいっそう便利である。
【０００６】
そこで、近年、パスポートやクレジットカード等の旅行に必要な携帯品を判別しやすいように整理して収納でき、必要なときにそれらを容易に見つけて取り出すことができる二つ折り式ホルダーが提案されている（例えば、特許文献１参照。）。
【０００７】
【特許文献１】実用新案登録第３０９５０２９号公報（第２頁（請求項１）、第１図、第４図）
【０００８】
前記特許文献１に記載の二つ折り式ホルダーは、大略、本体を開いた内面側の一方側に形成された第１ポケットと、他方側に形成された側口ポケットと上口ポケット群からなる第２ポケットとから構成されている。そして、前記上口ポケット群を形成する大ポケット、中ポケットおよび小ポケットには、それぞれ、パスポート、鉄道の特急券や指定券等を収容した切符ホルダー、カードの上端部が突出した状態で挿入できるとともに、それらを直ぐに取り出すことができるように保持する構成となっている。さらに、第１ポケットの開口部および第２ポケットの下層収納部の開口部に、旅程表の表紙部分を挿入して保持する構成となっている。
【０００９】
このような構成により、前記二つ折り式ホルダーは、パスポートや旅程表、切符、クレジットカード等の各携帯品を容易に判別しやすいように複数のポケットに整理して収納できるので、必要なものを必要なときに容易に見つけて取り出すことができるという作用効果を奏する。
【考案の開示】
【考案が解決しようとする課題】
【００１０】
しかしながら、上述した従来の二つ折り式ホルダーにおいては、パスポートや切符ホルダー、旅程表、各種カード類の収納スペースは備えているものの、航空券、特に、長めの航空券（８２ｍｍ×２０４ｍｍ）を折らずに収納できるスペースを備えていないので、該航空券のみを別個に持ち歩くか、該航空券を二つ折りにして第１ポケットや大ポケット等に収納するしか方法がなかった。
【００１１】
また、上述した従来の二つ折り式ホルダーは、パスポート、切符ホルダーおよび各種カード類を収納するポケットの開口部が本体の上辺側に向いて形成されているため、本体を閉じたときでも前記パスポート、切符ホルダーおよび各種カード類の抜き差し方向が塞がらず、それらの収納物が何らかの原因で脱落してしまう危険性があるという問題があった。
【００１２】
したがって、本考案は、前記問題点を解決することを課題としてなされたものであり、その目的とするところは、長めの航空券も折らずに収納可能であるとともに、パスポートやクレジットカード等の携帯品を整然と収納することができ、これらの出し入れが容易に行なえて、しかも、収納物の脱落を防止することができる二つ折り収納ケースを提供することにある。
【課題を解決するための手段】
【００１３】
前記課題を解決するために、請求項１に記載の二つ折り収納ケースにおける考案では、中央部に二つ折り自在な中折れ部を有する本体と、本体の内面側において中折れ部の左右の一方側に設けられた第１収納部および他方側に設けられた第２収納部からなる二つ折り収納ケースであって、前記第１収納部および第２収納部は、収納ポケットを有し、当該収納ポケットの開口部は前記中折れ部に対向して形成され、前記第１収納部は、上層収納部と下層収納部との二層構造で形成されており、前記下層収納部は、航空券を折らずに収納可能な内部空間を有する第１収納ポケットで構成され、前記上層収納部は、カード類を収納する複数の収納ポケットが並列配置されたカード収納ポケット群から構成され、前記第２収納部は、パスポートを挿入保持する第２収納ポケットと、第３収納ポケットおよび第４収納ポケットから構成されており、前記第３収納ポケットは、第２収納ポケットに隣接して配置されているとともに、前記第３収納ポケットおよび第４収納ポケットは、互いに一部オーバーラップして配置されていることを特徴としたものである。
【００１４】
請求項２に記載の二つ折り収納ケースにおける考案では、請求項１に記載の考案において、前記カード収納ポケット群、第３収納ポケットおよび第４収納ポケットは、カード類の長手方向が開口部に対して直交するようにカード類を収納可能に形成されており、前記第３収納ポケットおよび第４収納ポケットは、それぞれ複数枚のカード類を積層した状態で収納可能な内部空間を有し、前記カード収納ポケット群は、３乃至４つの収納ポケットから構成されていることを特徴としたものである。
【００１５】
請求項３に記載の二つ折り収納ケースにおける考案では、請求項１または請求項２に記載の考案において、前記本体は、縦寸法が略２２５ｍｍ、横寸法が略１９０ｍｍであることを特徴としたものである。
【考案の効果】
【００１６】
以上の説明から明らかなように、本考案にかかる二つ折り収納ケースは、長めの航空券も折らずに収納可能であるとともに、パスポートやクレジットカード等の携帯品をひとまとめにして、これらを整然と収納することができる。したがって、収納物の所在を一目で確認することができ、かつ、収納物の出し入れを容易に行なうことができるので使い勝手が非常に優れているという効果を奏する。
【００１７】
また、本考案にかかる二つ折り収納ケースは、第１収納部２および第２収納部３の各収納ポケットの開口部が中折れ部ＣＬに対向して形成されている。したがって、本体１を閉じたときに収納物の抜き差し方向が塞がる結果、収納物が脱落しにくくなり、安心して持ち歩くことができるという効果を奏する。
【００１８】
本考案にかかる二つ折り収納ケースの第２収納部３は、第２収納ポケット３１に隣接させて第３収納ポケット３２を配置するとともに、第４収納ポケット３３の表皮の一端部を、第３収納ポケット３２の表皮の中央部上面に融着した構成となっている。すなわち、第３収納ポケット３２と第４収納ポケット３３とは、互いに一部オーバーラップして配置されている。
【００１９】
したがって、第３収納ポケット３２と第４収納ポケット３３とを並列に配置するよりも本体１の長手方向の寸法を極力抑えながら多数のカード類を収納することができるという効果を奏する。
【００２０】
また、第２収納ポケット３１にパスポートを挿入保持させ、第３収納ポケット３２、第４収納ポケット３３にそれぞれ２枚乃至３枚のカードを積層させて収納すると、結果的に、前記複数枚のカードを収納したことによる嵩張り度合いと前記第２収納ポケット３１に収納されたパスポートの厚みとが略等しくなる。したがって、第２収納部３の特定の収納場所のみ嵩張ってしまうというアンバランスな収納状態になることを回避することができる。
【００２１】
さらに、本考案の二つ折り収納ケースは、構造自体がシンプルであるので、低コストで量産することができる。
【考案を実施するための最良の形態】
【００２２】
つぎに、本考案にかかる二つ折り収納ケースの実施形態を添付図面に従って説明する。図１は、本考案にかかる二つ折り収納ケース本体を開いた状態の正面図である。図２は、図１のＡ−Ａ線における断面図であり、図３は、図１のＢ−Ｂ線における断面図である。また、図４は、二つ折り収納ケースの各ポケットに収納物を収納した状態を示す正面図である。
【００２３】
図１に示すように、本考案にかかる二つ折り収納ケースは、大略、中央部に二つ折り自在な中折れ部ＣＬが形成された本体１と、前記本体１の内面側において中折れ部ＣＬの左側に設けられた第１収納部２と、右側に設けられた第２収納部３とから構成されている。
【００２４】
そして、本体１を開いた状態の大きさと形状は、縦２２０ｍｍ〜２３０ｍｍ、横１９０〜２１０ｍｍの矩形状になっている。具体的には、例えば、縦２２５ｍｍ×横１９０ｍｍ程度が手に持っても大きすぎず、折り畳んでスーツの内ポケットに入れても嵩張らず、携帯に便利な大きさであり、好適である。
【００２５】
前記本体１に用いられる素材としては、例えば、ＰＶＣ（ポリ塩化ビニル）や合成皮革等が低コストで量産するうえで好適である。
【００２６】
また、例えば、本体１の上辺側に小孔を設け、小孔を通して紐あるいは鎖を取り付けることにより、本体１の紛失防止を図ることが好ましい。
【００２７】
前記第１収納部２は、第１収納ポケット２１と、カード類を収納する複数の収納ポケット２２１〜２２４が並列に配置されたカード収納ポケット群２２とから構成されている。また、第１収納部２の内面側のコーナ部には、差込用袋部２３、２４が形成されている。
【００２８】
そして、この第１収納部２は、図２に示すように、ポケットが二層構造になっており、下層収納部に第１収納ポケット２１が形成され、上層収納部にカード収納ポケット群２２（図では収納ポケット２２１、２２２）が形成されている。
【００２９】
前記第１収納ポケット２１の開口部２１ａは、中折れ部ＣＬに対向して形成されている。そして、この第１収納ポケット２１の内部の大きさは、開口幅が約２１０ｍｍ〜２１５ｍｍ、深さが約８０ｍｍ程度となっており、長めの航空券（８２ｍｍ×２０４ｍｍ）も折らずに収納可能に形成されている。
【００３０】
前記カード収納ポケット群２２を構成する収納ポケット２２１〜２２４は、それぞれ同一構造となっており、各収納ポケット２２１〜２２４にカードを例えば、１枚ずつ収納するようになっている。
【００３１】
そして、第１収納ポケット２１と同様に、各収納ポケット２２１〜２２４の開口部２２１ａ〜２２４ａも中折れ部ＣＬに対向して形成されている。各収納ポケット２２１〜２２４の内部の大きさは、開口幅が約５５ｍｍ〜５７ｍｍ、深さが約７０ｍｍ程度となっており、カードの長手方向が開口部２２１ａ〜２２４ａに対して直交するようにカードを収納する構成となっている。
【００３２】
本実施例では、カード収納ポケット群２２を４つの収納ポケットで説明したが、これに限らず、例えば、カード収納ポケット群２２を３つの収納ポケットで構成してもよい。
【００３３】
また、図１に示すように、第１収納ポケット２１の開口部２１ａは、前記カード収納ポケット群２２の開口部２２１ａ〜２２４ａよりも中折れ部ＣＬの近傍に配置されている。
【００３４】
なお、各収納ポケット２２１〜２２４に収納されているカードの取り出しを容易にするため、また、本体１を閉じた状態でカード類が収納されていることを確認しやすくするために、各収納ポケット２２１〜２２４の底部に例えば、半円状あるいは台形状の切り欠きを設けてもよい。
【００３５】
前記差込用袋部２３、２４は、第１収納部２の内面側のコーナ部に略扇状の表皮を融着して袋状の内部空間を形成したものである。そして、形成された袋状の内部空間に搭乗券等の長尺な書類を差込保持するようになっている。
【００３６】
図１に示すように、第１収納部２の下側のコーナ部に融着する表皮の面積を比較的大に形成し、第１収納部２の上側のコーナ部に融着する表皮の面積を比較的小に形成すれば、差込保持する書類の安定性や、書類の取り出しやすさが良好となる。
【００３７】
つぎに、第２収納部３について説明する。図１に示すように、この第２収納部３は、大略、パスポートを挿入保持する第２収納ポケット３１と、第３収納ポケット３２および第４収納ポケット３３とから構成されている。
【００３８】
前記第２収納ポケット３１の開口部３１ａは、前記中折れ部ＣＬに対向して形成されている。そして、該第２収納ポケット３１の内部の大きさは、開口幅が約１３０ｍｍ〜１３５ｍｍ、深さが約７０ｍｍ程度となっており、パスポートのおもて表紙あるいは裏表紙を挿入保持する構成となっている。なお、この第２収納ポケット３１は、パスポート本体を挿入保持するようにしてもよい。
【００３９】
第３収納ポケット３２、第４収納ポケット３３の開口部３２ａ、３３ａも前記第２収納ポケット３１と同様に、前記中折れ部ＣＬに対向して形成されている。そして、第３収納ポケット３２、第４収納ポケット３３の内部の大きさは、開口幅が約５５ｍｍ〜５７ｍｍ、深さが約７０ｍｍ程度となっており、複数枚、例えば、２枚乃至３枚のカードを積層させて、カードの長手方向が開口部３２ａ、３３ａに対して直交するようにカードを収納する構成となっている。
【００４０】
なお、第３収納ポケット３２、第４収納ポケット３３に収納されているカードの取り出しを容易にするため、また、本体１を閉じた状態でカード類が収納されていることを確認しやすくするために、第３収納ポケット３２および第４収納ポケット３３の底部に例えば、半円状あるいは台形状の切り欠きを設けてもよい。
【００４１】
ここで、図３を参照して前記第２収納部３の特徴的な構成について説明する。第２収納部３は、図示のとおり、第２収納ポケット３１に隣接させて第３収納ポケット３２を配置するとともに、第４収納ポケット３３の表皮の一端部を、第３収納ポケット３２の表皮の中央部上面に融着した構成となっている。すなわち、第３収納ポケット３２と第４収納ポケット３３とは、互いに一部オーバーラップして配置されている。
【００４２】
したがって、第３収納ポケット３２と第４収納ポケット３３とを並列に配置するよりも本体１の長手方向の寸法を極力抑えながら多数のカード類を収納することができる。
【００４３】
また、第２収納ポケット３１にパスポートを挿入保持させ、第３収納ポケット３２、第４収納ポケット３３にそれぞれ２枚乃至３枚のカードを積層させて収納すると、結果的に、前記複数枚のカードを収納したことによる嵩張り度合いと前記第２収納ポケット３１に収納されたパスポートの厚みとが略等しくなる。したがって、第２収納部３の特定の収納場所のみ嵩張ってしまうというアンバランスな収納状態になることを回避することができる。
【００４４】
つぎに、本考案にかかる二つ折り収納ケースの使用状態について、図４を参照して説明する（図４では各収納ポケットの開口部の符号を省略している。）。図示のとおり、先ず、本体１を開く。そして、第１収納ポケット２１の開口部２１ａから航空券Ｔを挿入して収納する。
【００４５】
前記第１収納ポケット２１に航空券Ｔを収納すると、開口部２１ａから航空券Ｔの上端部が約７ｍｍ程度突出するようになり、航空券Ｔが収納されているか否かが一目で確認することができ、かつ、航空券Ｔの取り出しも容易に行なうことができる。
【００４６】
そして、カード収納ポケット群２２を構成する収納ポケット２２１〜２２４にカードＣ１〜Ｃ４を挿入すると、収納ポケット２２１〜２２４の開口部２２１ａ〜２２４ａからカードＣ１〜Ｃ４の上端部が約１５ｍｍ程度突出するようになり、例えば、クレジットカードの種類や、各航空会社のマイレージカード等の種類を一目で確認することができるとともに、これらの出し入れも容易に行なうことができる。
【００４７】
また、第１収納ポケット２１の開口部２１ａは、前記カード収納ポケット群２２の開口部２２１ａ〜２２４ａよりも中折れ部ＣＬの近傍に配置されているので、各収納ポケットの開口部が一目で判り、収納物の取り出しが容易となる。
【００４８】
さらに、差込用袋部２３、２４のそれぞれの内部空間に長尺な書類、例えば、搭乗券Ｂｔを差込保持させると、差込保持する搭乗券Ｂｔの安定性や、取り出しやすさが良好となり、便利である。
【００４９】
次に、第２収納ポケット３１の開口部３１ａからパスポートＰのおもて表紙あるいは裏表紙を挿入保持させる。これにより、パスポートＰの出し入れが容易となり、必要なときにパスポートＰを迅速に提示することができる。
【００５０】
さらに、第３収納ポケット３２に例えば、２枚のカードＣ５〜Ｃ６を積層させて挿入し、第４収納ポケット３３に例えば、３枚のカードＣ７〜Ｃ９を積層させて挿入する。前記第３収納ポケット３２、第４収納ポケット３３に収納されたカードＣ５〜Ｃ６、Ｃ７〜Ｃ９は、開口部３２ａ、３３ａからカードの上端部が約１５ｍｍ程度突出するようになる。これにより、カードの種類を一目で確認することができるとともに、これらの出し入れも容易に行なうことができる。
【００５１】
このように、本考案にかかる二つ折り収納ケースは、長めの航空券も折らずに収納可能であるとともに、パスポートやクレジットカード等の携帯品をひとまとめにして、これらを整然と収納することができる。したがって、収納物の所在を一目で確認することができ、かつ、収納物の出し入れを容易に行なうことができるので使い勝手が非常に優れている。
【００５２】
また、本考案にかかる二つ折り収納ケースは、第１収納部２および第２収納部３の各収納ポケットの開口部が中折れ部ＣＬに対向して形成されている。したがって、本体１を閉じたときに収納物の抜き差し方向が塞がる結果、収納物が脱落しにくくなり、安心して持ち歩くことができる。
【図面の簡単な説明】
【００５３】
【図１】本考案にかかる二つ折り収納ケース本体を開いた状態の正面図である。
【図２】図１のＡ−Ａ線における断面図である。
【図３】図１のＢ−Ｂ線における断面図である。
【図４】二つ折り収納ケースの各ポケットに収納物を収納した状態を示す正面図である。
【符号の説明】
【００５４】
１  本体、２  第１収納部、３  第２収納部、２１  第１収納ポケット  ２１ａ  開口部、２２  カード収納ポケット群、２３〜２４  差込用袋部、３１  第２収納ポケット、３１ａ  開口部、３２  第３収納ポケット、３３  第４収納ポケット、３２ａ〜３３ａ  開口部、ＣＬ  中折れ部
【図１】
0003121548.tif 000003
【図２】
0003121548.tif 000004
【図３】
0003121548.tif 000005
【図４】
0003121548.tif 000006